(57)【要約】【課題】プリント処理の対価の支払に電子マネーを使用し、この電子マネーにチャージを行う処理を選択した場合にプリント処理の対価の割引を実現する。【解決手段】メディアＭａに記録された画像データを取得し、顧客の入力に基づくオーダデータを取得し、プリント処理を行うプリント処理部を備え、現金又はカードによるプリント処理の対価の決済を行う課金管理部２０を備え、この課金管理部２０は、プリント処理の対価の決済を電子マネーで行い、この決済と併せて電子マネーのチャージを行うことを顧客が選択した場合には、プリント処理の対価の割引を行い、この割引の金額を加算した金額を電子マネーにチャージする処理を行うように構成した。【選択図】図２
2008040746.tif 000002
【特許請求の範囲】
【請求項１】
メディアに記録された画像データを取得する画像データ取得部と、顧客の指示に基づいてプリント処理に必要なオーダデータを取得するオーダデータ取得部と、このオーダデータ取得部で取得したオーダデータに基づきプリント媒体に対して前記画像データのプリント処理を行うプリント処理部と、このプリント処理の対価の決済を実現する課金管理部を備えているセルフ写真プリント装置であって、
プリペイド型の電子決済手段にチャージされている電子マネーの取得と、この電子決済手段に対する電子マネーのチャージとを実現する電子端末を備え、
顧客が、前記プリント処理の対価の決済のために前記電子決済手段を使用すると共に、この電子決済手段に対する電子マネーのチャージを行う場合には、前記プリント処理の対価より少ない金額の電子マネーを前記電子決済手段から取得する割引処理手段を備えているセルフ写真プリント装置。
【請求項２】
前記画像データ取得部で取得した画像データをディスプレイに表示した状態で、プリント対象とする画像データを特定するデータと、プリント枚数のデータと、プリントサイズのデータとを取得するように前記オーダデータ取得部の処理形態が設定されると共に、このオーダデータ取得部によるオーダデータの取得の後に、前記チャージの実行の要否の判断を求める情報を前記ディスプレイに表示する報知処理手段を備えている請求項１記載のセルフ写真プリント装置。
【請求項３】
前記割引処理手段は、設定された割引率と、前記プリント処理の対価とに基づいて、前記電子決済手段から取得する電子マネーの金額を算出する請求項１又は２記載のセルフ写真プリント装置。
【請求項４】
投入された貨幣の額を取得する貨幣取得部を備え、この貨幣取得部で取得した金額に対応した電子マネーを前記電子決済手段にチャージするチャージ処理手段を備えている請求項１〜４のいずれか１項に記載のセルフ写真プリント装置。
【発明の詳細な説明】
【技術分野】
【０００１】
本発明は、メディアに記録された画像データを取得する画像データ取得部と、顧客の指示に基づいてプリント処理に必要なオーダデータを取得するオーダデータ取得部と、このオーダデータ取得部で取得したオーダデータに基づきプリント媒体に対して前記画像データのプリント処理を行うプリント処理部と、このプリント処理の対価の決済を実現する課金管理部を備えているセルフ写真プリント装置に関し、詳しくは、プリント処理の対価を電子マネーで支払う技術に関する。
【背景技術】
【０００２】
上記のように構成されセルフ写真プリント装置と類似する技術として、特許文献１、特許文献２に示されるものが存在する。
【０００３】
特許文献１は、メインメニュー画面において、サービスの利用に対する課金の種類（コインラック、Felicaカード、Debitカードの何れであるかの種類）を顧客が選択した後に、サービスとしてコピーを選択した場合には印刷枚数や用紙サイズ、あるいは、モノクロ、カラーの何れであるかに基づいて課金金額を計算するように処理形態が設定されている。また、サービスとしてＦＡＸを選択した場合にも同様に課金金額を計算し、この後にモジュールプログラムによって課金処理が実行される。この課金処理では、複数の課金装置のうちの１つ又は複数により課金を実行することが可能であり、複数種の課金の残金を残金表示画面に表示することや、複数種の課金に優先順位を設定して、支払い順序選択画面に表示し、これらの表示に基づいて、課金を選択することや、課金の優先順位を設定することも可能である。
【０００４】
特許文献２は、自動販売機において、現金決済時に釣り銭を生じた場合には、その釣り銭をＩＣカードに書込む（チャージ）する処理を行うように基本的な処理形態が設定されている。具体的には、商品販売を行う自動販売機には硬貨、紙幣、電子マネーによる決済を行う主制御部を備え、この主制御部は、商品選択ボタンの操作に基づいて搬出機構部により商品を取り出し口に排出する制御、必要な表示の制御を行うと共に、釣り銭切れの判別を行う。商品の販売時には、硬貨を投入し、次にＩＣカードをＩＣカードＲ／Ｗに挿入した後に、商品選択ボタンを操作して選択を行うことになる。このように選択された商品の販売について釣り銭が必要である場合には、ＩＣカードへ電子マネーをロードし、このロードの後にＩＣカードを排出する。また、この特許文献２では、釣り銭を返却する際に、ＩＣカードに電子マネーとしてロードすること、又は、現金で返却することを選択できる点も記載されている。
【０００５】
【特許文献１】特開２００６‐０７２４５１号公報  （段落番号〔００３２〕〜〔００４５〕、図１〜図９）
【特許文献２】特開２００２‐１７０１５１号公報  （段落番号〔００１７〕〜〔００２６〕、〔００３２〕図５）
【発明の開示】
【発明が解決しようとする課題】
【０００６】
電子マネーとして、Ｅｄｙ（ビットワレット株式会社が提供）と称するものや、Ｓｕｉｃａ（ＪＲ東日本、東京モノレール等が乗車カードとして提供）と称するものが存在し、何れの電子マネーとも使用可能な店舗が増大しつつある。このＥｄｙ、Ｓｕｉｃａはソニー社が非接触型のＩＣカードとして開発したＦｅｌｉｃａの技術を用いたものであり、何れの電子マネーとも予めチャージした電子マネーによって決済を行うプリペイド型のカードとして捉えることが可能である。
【０００７】
この電子マネーでセルフ写真プリント装置でのプリント処理の対価を決済する処理を考えると、顧客にとっては現金での支払いの手間が軽減し、セルフ写真プリント装置を設置した者からすると、釣り銭が不要となり管理が容易となる。また、この電子マネーは所定金額の予め電子マネーをチャージしておくことにより、チャージした金額の範囲内での決済が可能となる。従って、電子マネーによる決済を行える店舗にはチャージを行う端末が備えられるのが普通である。このような理由から特許文献２に記載されるものと同様にプリントを行う装置にチャージを行う機能を備えることも考えられる。特に、近年の携帯電話機では非接触ＩＣカードと同様に携帯電話機をリーダ・ライタに接近させることにより決済を実現するものも存在し、この種の携帯電話機においても電子マネーをチャージする形態での使用が考えられる。
【０００８】
店舗に設置されたセルフ写真プリント装置に対して、プリント処理とは独立してチャージを行える機能を備えたものを想定すると、プリント処理を行わずにチャージのために利用する顧客の増大も考えられる。しかしながら、店舗での売り上げを向上させるためにはセルフ写真プリント装置の本来の機能であるプリント処理を利用する顧客を増大させたい面もある。
【０００９】
このため、セルフ写真プリント装置が、電子マネーで決済を行える機能を備えただけでは、顧客のメリットが少なく対策が望まれるものであった。
【００１０】
本発明の目的は、顧客が自ら操作するセルフ写真プリント装置において、決済カードや決済機能を有した携帯電話機を利用することで電子マネーでの決済が可能な機能を備え、この機能を有効に活用して顧客によるプリント処理の売り上げを高める点にある。
【課題を解決するための手段】
【００１１】
本発明の特徴は、メディアに記録された画像データを取得する画像データ取得部と、顧客の指示に基づいてプリント処理に必要なオーダデータを取得するオーダデータ取得部と、このオーダデータ取得部で取得したオーダデータに基づきプリント媒体に対して前記画像データのプリント処理を行うプリント処理部と、このプリント処理の対価の決済を実現する課金管理部を備えているセルフ写真プリント装置において、
プリペイド型の電子決済手段にチャージされている電子マネーの取得と、この電子決済手段に対する電子マネーのチャージとを実現する電子端末を備え、
顧客が、前記プリント処理の対価の決済のために前記電子決済手段を使用すると共に、この電子決済手段に対する電子マネーのチャージを行う場合には、前記プリント処理の対価より少ない金額の電子マネーを前記電子決済手段から取得する割引処理手段を備えている点にある。
【００１２】
この構成により、顧客がセルフ写真プリント装置においてプリント処理を行い、そのプリント処理の対価をプリペイド型の電子決済手段で決済し、かつ、電子決済手段に対する電子マネーのチャージを行う場合には、割引処理手段が、プリント処理の対価より少ない電子マネーを取得することになる。つまり、単にプリント処理を行うだけではなく、プリント処理と共にチャージを行う顧客に対し、プリント処理の対価より少ない金額の電子マネーを取得することで実質的な割引を実施することになり、この割引によって集客力を高め、このセルフ写真プリント装置を設置した店舗での売り上げを増大させることにも繋がる。その結果、顧客が自ら操作するセルフ写真プリント装置において、電子決済手段にチャージされた電子マネーでの決済が可能な機能を有効に活用して顧客によるプリント処理の売り上げを高め得るものとなった。
【００１３】
本発明は、前記画像データ取得部で取得した画像データをディスプレイに表示した状態で、プリント対象とする画像データを特定するデータと、プリント枚数のデータと、プリントサイズのデータとを取得するように前記オーダデータ取得部の処理形態が設定されると共に、このオーダデータ取得部によるオーダデータの取得の後に、前記チャージの実行の要否の判断を求める情報を前記ディスプレイに表示する報知処理手段を備えても良い。
【００１４】
この構成により、顧客がディスプレイの前に立ってオーダデータを取得する操作を行った直後に、情報が報知されることにより、電子決済手段に対するチャージの要否の判断が求められることになるので、オーダデータの取得の操作に続く一連の操作として、要否の選択を行えるものとなり、この要否を選択する際に、プリント処理の対価を考慮してチャージの要否を判断できる。
【００１５】
本発明は、前記割引処理手段は、設定された割引率と、前記プリント処理の対価とに基づいて、前記電子決済手段から取得する電子マネーの金額を算出しても良い。
【００１６】
この構成により、プリント処理の対価の額に正比例して、プリント処理の対価から割り引く金額を設定する等、決まった利益率を確保することも可能となる。
【００１７】
本発明は、投入された貨幣の額を取得する貨幣取得部を備え、この貨幣取得部で取得した金額に対応した電子マネーを前記電子決済手段にチャージするチャージ処理手段を備えても良い。
【００１８】
この構成により、このセルフ写真プリント装置において、顧客が貨幣取得部に投入した金額に対応した電子マネーを電子決済手段にチャージできるものとなる。
【発明を実施するための最良の形態】
【００１９】
以下、本発明の実施形態を図面に基づいて説明する。
〔全体構成〕
図１に、本発明によるセルフ写真プリント装置として、プリントキオスク端末機が示されている。このプリントキオスク端末機は、ＤＰ店やコンビニエンスストア等の店頭に設置され、デジタルスチルカメラやカメラ付き携帯電話機やデジタルムービカメラのスチル撮影機能を利用して取得された撮影コマ画像データ（以下単に撮影コマ画像と略称するが、撮影コマ画像データによって可視化された画像自体も混乱を生じない範囲で撮影コマ画像と称する）に基づいて種々の形態の写真プリントを出力する機能や、撮影コマ画像を電子アルバム化してＤＶＤ−ＲやＣＤ−Ｒ等の記憶媒体に記憶する機能を有し、各種操作は顧客によるセルフサービスで行われる。
【００２０】
このプリントキオスク端末機は、上部に写真処理サービス受付部Ａを備え、下部のボックス状コンソールに課金決済部Ｂとプリント処理部Ｐを装備している。
【００２１】
前記写真処理サービス受付部Ａは、上部ハウジング１に液晶ディスプレイ２が備えられ、この液晶ディスプレイ２の表示面にはグラフィック化された操作画面に対して操作入力を行うためのタッチパネル２Ｔが備えられている。
【００２２】
上部ハウジング１の前面には、コンパクトフラッシュ（商標）、ＳＤカード（商標）、メモリスティック（商標）等、主としてフラッシュメモリで成るメモリカードＭａから撮影コマ画像を取得する複数種のメディアドライブ３（画像データ取得部の一例）と、ＣＤ−ＲやＤＶＤ−Ｒ等のディスク型記録メディアＭｂからの撮影コマ画像やＣＧ画像（この明細書ではＣＧ画像も人工的な撮影コマ画像と見なしており、撮影コマ画像にＣＧ画像も含めている）などを取得するディスクドライブ４（画像データ取得部の一例）と、レシートＲを発行するレシートプリンタ５とが備えられている。更に、上部ハウジング１の上面には、カメラ付き携帯電話機やデジタルカメラから直接撮影コマ画像の転送を可能にするＵＳＢ等のデータ伝送コネクタ６が備えられ、この上部ハウジングの内部には主制御ユニット３０が備えられている。尚、前記ディスクドライブ４は撮影コマ画像データをディスク型記録メディアＭｂに書き込んで記録するドライブとしても機能する。
【００２３】
課金決済部Ｂは、ボックス状コンソール１０の正面の硬貨投入孔１１に投入された硬貨を判別して判別結果を出力し、制御信号に基づいて下部の釣り銭払出口１２から釣り銭を払い出すコインメック１３と、ボックス状コンソール１０の正面の紙幣挿入孔１４に挿入された紙幣を判別して判別結果を出力するビルバリ１５と、カード挿入孔１６に挿入された接触式の決済カードＣａ（電子決済手段の一例）の情報を取得して出力し、必要な情報の書込を行う接触型リーダ・ライタ１７（電子端末の一例）と、アンテナ部１８に対して接近させた非接触式の決済カードＣｂ（電子決済手段の一例）の情報を取得し、必要な情報の書き込を行う非接触型リーダ・ライタ１９（電子端末の一例）が備えられ、ボックス状コンソール１０の内部には、課金管理部として機能する課金決済ユニット２０が備えられている。尚、コインメック１３とビルバリ１５とで貨幣取得部が構成され、接触型リーダ・ライタ１７と非接触型リーダ・ライタ１９とでカード情報取得部が構成されている。
【００２４】
前記接触式の決済カードＣａと非接触式の決済カードＣｂとは、クレジットカード、プリペイドカード、電子マネー（プリペイドカードの一種）等、電気的な処理によって決済を可能にするカードの総称であり、接触式の決済カードＣａは、カードに形成した磁気データを読み取ることで情報の取得が可能となるものや、カードに形成した電極を介して情報の取得が可能となるものを指し、また、非接触式の決済カードＣｂは、アンテナとメモリと制御用のＩＣとを備えた構造のものであり（所謂、ＩＣカード）、アンテナを介して情報の取得が可能となる機能を具備している。また、本発明では、非接触式の決済カードＣａ（非接触ＩＣカード）と同様にリーダ・ライタに接近させることにより決済を実現する機能を備えた携帯電話機も電子決済手段として想定しているが、本実施形態では、接触式の決済カードＣａと非接触式の決済カードＣｂとに対応した処理の形態を説明している。
【００２５】
尚、本発明のプリントキオスク端末機では、接触式の決済カードＣａと非接触式の決済カードＣｂとの何れを使用してプリント処理の対価の決済を行う場合でも、顧客によるサインを必要としないサインレスによる決済を想定している。
【００２６】
前記プリント処理部Ｐは、前記ボックス状コンソール１０の内部に２台の昇華型プリンタユニット４０を備え、夫々の昇華型プリンタユニット４０において画像データがプリントされたペーパーＱ（プリント媒体の一例）を写真プリント取出口４１に集積して排出するように構成されている。この写真プリント取出口４１には、横向き姿勢の軸芯周りでの揺動によって開閉自在で透明な板材で成る蓋体４２を備えている。
【００２７】
前記昇華型プリンタユニット４０は、異なるタイプの、例えば、ペーパーのシート幅や材質の異なるプリント媒体を装填することにより、異なるサイズや異なる表面仕上げの写真プリントをプリント媒体の交換なしで出力することができる。この昇華型プリンタユニット４０に採用されるその他のプリント方式としては、熱転写方式やインクジェット方式が挙げられるが、本発明は、特定のプリント方式を限定していない。また、プリンタユニット４０は１台や３台以上で構成しても良い。
【００２８】
〔制御構成〕
このプリントキオスク端末機の制御系を図２に示している。写真プリント処理を含む装置全体を管理する主制御ユニット３０は、マイクロプロセッサ（ＣＰＵ）、前記液晶ディスプレイ２、タッチパネル２Ｔ、メディアドライブ３、ディスクドライブ４等の間で情報のアクセスを実現する入出力インタフェース（Ｉ／Ｏ）、及び、メモリ３１（ＲＡＭ／ＲＯＭ）を備えると共に、汎用ＯＳ３２を搭載し、この汎用ＯＳ３２において管理されるプログラムで成る画像データ取得処理手段３３と、オーダデータ取得処理手段３４と、プリント出力処理手段３５と、メッセージ表示手段３６とを備えている。
【００２９】
前記画像データ取得処理手段３３は、前記メディアドライブ３、ディスクドライブ４、あるいは、データ伝送コネクタ６を介して撮影コマ画像を取得し、メモリ３１に保存する処理を実現する。前記オーダデータ取得処理手段３４は取得した撮影コマ画像を前記液晶ディスプレイ２に表示し、顧客がタッチパネル２Ｔに指を接触させる等の操作に基づいてプリント対象とする撮影コマ画像を特定するデータと、プリント枚数のデータと、プリントサイズのデータとで成るオーダデータを取得する処理を実現する。前記プリント出力処理手段３５は、取得した撮影コマ画像データと、オーダデータとに基づいて前記プリンタユニット４０を制御することにより撮影コマ画像をペーパーＱにプリントする処理を実現する。前記メッセージ表示手段３６はプリント処理に必要なメッセージを液晶ディスプレイ２に表示する処理を行う。
【００３０】
プリント処理の対価の決済を現金や、決済カードＣａ、Ｃｂによって実現するための前記課金決済ユニット２０は、マイクロプロセッサ（ＣＰＵ）と、コインメック１３、ビルバリ１５等の間で情報のアクセスを実現する入出力インタフェース（Ｉ／Ｏ）とメモリ２１（ＲＡＭ／ＲＯＭ）とを備えると共に、汎用ＯＳ２２を搭載し、この汎用ＯＳ２２において管理されるプログラムで成る決済処理手段２３と、割引処理手段２４と、報知処理手段２５と、チャージ処理手段２６を備えている。
【００３１】
決済処理手段２３は、前記コインメック１３とビルバリ１５とによって現金での決済を実現する現金決済処理２３Ａと、前記接触型リーダ・ライタ１７あるいは非接触型リーダ・ライタ１９を使用することによって電子マネー以外のカードによる決済を実現するカード決済処理２３Ｂと、前記接触型リーダ・ライタ１７あるいは非接触型リーダ・ライタ１９を使用することによって電子マネーによる決済を実現する電子マネー決済処理２３Ｃとを実行する。
【００３２】
前記割引処理手段２４は、プリント処理の対価を電子マネーで決済することを顧客が選択し、更に、その電子マネーに対するチャージを行うことを選択した際に、プリント処理の対価に基づいて割引額を算出し、電子マネーのチャージを行う処理の他に、前記対価から割引額を減じた額を電子マネーから取得する処理を行う。前記報知処理手段２５は、この課金決済ユニット２０の処理において報知を行う際に前記メッセージ表示手段３６を制御して前記液晶ディスプレイ２に各種情報を表示する処理を実現する。
【００３３】
チャージ処理手段２６は、前記接触型リーダ・ライタ１７あるいは非接触型リーダ・ライタ１９にセットされた決済カードＣａ、Ｃｂで成る電子マネーに対して前記コインメック１３あるいはビルバリ１５に投入された金額をチャージする処理を実現する。
【００３４】
このプリントキオスク端末機では、前記主制御ユニット３０の入出力インタフェース（Ｉ／Ｏ）と、課金決済ユニット２０の入出力インタフェース（Ｉ／Ｏ）との間に通信経路Ｌを備えることにより、主制御ユニット３０と課金決済ユニット２０との間で必要な情報のアクセスを行えるように構成され、プリント処理を行う際には主制御ユニット３０と課金決済ユニット２０とが連係して処理を行う。
【００３５】
この制御系において、前記画像データ取得処理手段３３、オーダデータ取得処理手段３４、プリント出力処理手段３５、メッセージ表示手段３６、決済処理手段２３、割引処理手段２４、報知処理手段２５、チャージ処理手段２６夫々はソフトウエアで構成されるものであるが、ハードウエアで構成することや、ハードウエアとの組み合わせによって構成しても良い。
【００３６】
本発明のプリントキオスク端末機は、決済カードＣａ、Ｃｂのうち電子マネーに対するチャージが可能であり、また、決済カードＣａ、Ｃｂのうち電子マネーを利用してプリント処理の対価を決済する際に、その電子マネーに対するチャージも併せて行う場合には、プリント処理の対価を割引く処理を行う点に特徴を有しており、これらの制御を以下に説明する。
【００３７】
〔受付処理〕
プリントキオスク端末機の制御形態の概要を図３のフローチャートに示している。つまり、顧客の操作がない状態においては前記液晶ディスプレイ２に図５に示す初期画面が表示される（＃０１ステップ）。この初期画面には写真をプリントするプリントボタン４５と、電子マネーに対するチャージを行うチャージボタン４６とが表示されると共に、顧客が何れかのボタンに指を接触させて選択を行った後に処理を決定するＯＫボタン５０が表示されている。
【００３８】
この初期画面には、写真のプリント処理を行い、この処理の支払い（決済）を電子マネーで行い、チャージも併せて行う場合には、プリント代金の割引があることがメッセージ領域４７に表示される。このメッセージ領域４７にメッセージを表示する処理は報知処理手段２５の処理によって実現する。
【００３９】
この初期画面において、顧客がチャージボタン４６を選択してＯＫボタン５０を操作した場合には、チャージ処理が実行される（＃０２、＃０３ステップ）。このチャージ処理として、非接触式の決済カードＣｂで成る電子マネーの処理形態を例に挙げると、非接触型リーダ・ライタ１９のアンテナ部１８の上面にセットし、画面に表示される情報に従って、コインメック１３の硬貨投入孔１１に硬貨を投入することや、ビルバリ１５の紙幣挿入孔１４に対して紙幣を挿入する操作によって貨幣を投入することにより、投入した金額が電子マネーとしてチャージされる。
【００４０】
また、顧客がプリントボタン４５を選択してＯＫボタン５０を操作した場合には、メモリカードＭａあるいはディスク型記録メディアＭｂをセットのセットを促すメッセージが液晶ディスプレイ２に表示され、この表示に従って顧客がメモリカードＭａをセットした場合には（ディスク型記録メディアＭｂセットしても良い）、メモリカードＭａから撮影コマ画像データが取得され、この後に、オーダデータの取得が行われる（＃０４、＃０５ステップ）。
【００４１】
前記オーダデータとは、プリント対象とする撮影コマ画像データを特定するデータ、プリントサイズを特定するデータ、プリント枚数のデータ等プリント処理に必要なデータであり、前記液晶ディスプレイ２と、タッチパネル２Ｔと、この主制御ユニット３０と、オーダデータ取得処理手段３４とがオーダデータ取得部として機能する。
【００４２】
撮影コマ画像データの取得時にはメディアドライブ３にセットされたメモリカードＭａから複数の撮影コマ画像データを取得してメモリ３１に記録する単純な処理が行われる。また、オーダデータの取得時には、図６に示す「プリントサイズ選択画面」が液晶ディスプレイ２に表示される。この画面には「プリントサイズを選択して下さい」とのメッセージが表示され、また、画面下側に中止ボタン４８と、戻るボタン４９とが表示され、画面中央には「Ｌ版」や「２Ｌ版」等の複数のプリントサイズに対応した複数のサイズ指定ボタン５１が表示され、何れか１つのサイズ指定ボタン５１を操作することによって、次の処理に移行する。尚、この「プリントサイズ選択画面」には、プリントサイズを示す文字の他に、プリントサイズを示す数値と、プリントの単価と、プリントの基本料金とが表示される。
【００４３】
次の処理では、図７に示す「プリント枚数設定画面」が液晶ディスプレイ２に表示される。この画面には「プリント枚数を設定して下さい」とのメッセージが表示され、また、画面の中央には、メモリカードＭａ等から取得した複数の撮影コマ画像がサムネイル画像Ｓとして一覧化して表示されると共に、画面下側に中止ボタン４８と、戻るボタン４９と、次へボタン５２とが表示され、画面下側の中央位置に、オーダ情報と共にプリントに要する費用の額が情報エリアＤＥに表示される。
【００４４】
前記サムネイル画像Ｓのフレーム５４の上段に画像情報を特定するファイルの名称と、ファイルの種類を示す拡張子とが表示され、フレーム５４の下段にはプリント枚数を示す数値を表示する枚数表示エリア５５が表示され、この枚数表示エリア５５を挟む位置にプリント枚数を１枚ずつ増加させる＋ボタン５６と、プリント枚数を１枚ずつ減少させる−ボタン５６とが表示される。また、「プリント枚数設定画面」の下側には、前述したように中止ボタン４８と、戻るボタン４９と、次へボタン５２とが表示されると共に、情報エリアＤＥには、選択されたプリントサイズの情報、設定されたプリントの合計枚数、プリントに要する合計金額、ページを示す数字が、全てのプリント枚数を１枚ずつ増加させる全体＋ボタン５７と全てのプリント枚数を１枚ずつ減少させる全体−ボタン５７とが表示される。
【００４５】
この「プリント枚数設定画面」では８つのサムネイル画像Ｓを１ページとして表示し、表示順序として、画像の撮影日、あるいは、作成日が古いものを先に、新しいものを後にするよう設定されている。従って、「プリント枚数設定画面」の初期画面には最も古い画像情報から８つのサムネイル画像が表示される。そして、次へボタン５７を操作すると、次のページの８つのサムネイル画像の表示を行い、戻るボタン４９を操作すると、前の８つのサムネイル画像Ｓが表示される。そして、この次へボタン５２の操作に基づいてプリントすべき画像情報の選択を行った後に図８に示すように、次へボタン５２に代えて保存ボタンとして機能するＯＫボタン５０を操作することで、オーダデータが取り込まれ、次の処理に移行する。
【００４６】
このようにオーダデータを取得した後に、顧客を特定する情報を取得する処理が行われる（＃０６ステップ）。この処理では、図９に示す「名前入力画面」と、図１０に示す「電話番号入力画面」が順次表示される。「名前入力画面」には、「名前を入力して下さい」とのメッセージが表示されると共に、名前表示部とキーボードとを有した入力ボード６３が表示され、キーボードに顧客が指を接触させる操作によって名前を入力した後にＯＫボタン５０を操作することにより、次に、「電話番号入力画面」が表示される。この画面には「電話番号を入力して下さい」とのメッセージが表示されると共に、電話番号表示部とキーボードとを有した入力ボード６４が表示され、キーボードに顧客が指を接触させる操作を行うことで電話番号を入力した後にＯＫボタン５０を操作することにより、顧客を特定する情報の取得が完了する。
【００４７】
次に、図１１に示す「注文内容確認画面」を液晶ディスプレイ２に表示し、この画面中に前述のように算出したプリント処理の対価を表示して確認を求め、確認の後には、図１２に示す「決済方法リスト画面」を液晶ディスプレイ２に表示して決済方法の選択を求める処理を行う（＃０７、＃０８ステップ）。
【００４８】
前記「注文内容確認画面」には「注文の内容を確認して下さい」とのメッセージが表示され、顧客が該プリントキオスク端末機から入力したオーダデータの詳細と金額とを一覧化した確認シート６５が表示される。この表示内容に誤りがなければＯＫボタン５０を操作することで、図１２に示す「決済方法リスト画面」が表示される。
【００４９】
この「決済方法リスト画面」には、プリント処理の対価の決済方法として、電子マネーを除き、このプリントキオスク端末機で使用可能なクレジットカード及びブリペイドカードで成る複数種のカードを示すカード選択ボタン７１と、このプリントキオスク端末機で使用可能な電子マネーを示す複数種の電子マネーボタン７２と、電子マネーで決済を行い、かつ、この決済時にチャージを行うことを選択するチャージボタン７３と、現金決済ボタン７４とが表示され、メッセージ領域７５には、支払い時（決済時）にチャージを行うことによりプリント代金の一部が割引かれることが表示される。尚、メッセージ領域７５にメッセージの内容は、チャージの実行の可否の判断を求める情報だけには限らず、チャージを行うことによるメリットを併せて表示するものであっても良く、この表示処理は報知処理手段２５によって実現する。図面には示していないが、この決済方法として携帯電話機を選択できるように、携帯電話機を「決済方法リスト画面」に表示するように処理形態を設定しても良い。
【００５０】
この画面では、顧客がボタンに指を接触させて選択した際には、選択されたボタンを反転表示することや、強調表示することにより選択状態にあることが示され、この後に、ＯＫボタン５０を操作する操作手順となり、このＯＫボタン５０が操作された後に、決済処理（＃１００ステップ）が実行される。
【００５１】
尚、「決済方法リスト画面」を表示する際には、先に取得している顧客を特定する情報から以前に決済カードを使用した顧客であることを判別した場合には、以前に使用された決済カードを選択状態にして液晶ディスプレイ２に表示しても良い。
【００５２】
図４のフローチャートに示すように、前記決済処理（＃１００ステップ）はサブルーチンの形態となる決済処理ルーチンとしてセット（前記決済処理手段２３による処理）されている。この決済処理ルーチンにおいて前記現金決済ボタン７４が選択されたことを判別した場合には現金決済処理２３Ａによる処理を実行する（＃１０１、＃１０２ステップ）。この現金決済処理２３Ａでは、コインメック１３、ビルバリ１５夫々に投入された硬貨、紙幣の金額がプリント処理の対価に達するまで継続的に行われ、釣り銭が必要である場合には、釣り銭が釣り銭払出口１２から払い出される。
【００５３】
決済方法として顧客が電子マネー以外の決済カードを選択した場合には、カード決済処理２３Ｂによる処理が実行される（＃１０３、＃１０４ステップ）。
【００５４】
また、決済方法として顧客が電子マネーでの決済を選択した場合において、チャージを選択しなかった場合には、前述した電子マネー以外の決済カードによる決済と同様の処理によって電子マネー決済処理２３Ｃによる処理が実行される（＃１０５、＃１０６ステップ）。
【００５５】
これらの処理を行う際において、顧客が接触式の決済カードＣａを使用する場合には、接触型リーダ・ライタ１７のカード挿入孔１６に決済カードＣａを挿入することで済むが、顧客が非接触式の決済カードＣｂを使用する場合には、決済カードＣｂを非接触型リーダ・ライタ１９のアンテナ部１８に接近させる操作が必要となる。この操作を行うことで、決済可能であることを判別した場合には、この操作時に決済が行われ、図１３に示す「処理完了画面」を表示することにより決済が終了したことが顧客に示される。
【００５６】
更に、顧客が電子マネーでの決済を選択し、かつ、チャージを選択した場合には、プリント処理の対価に基づいて、チャージにおいて加算される金額を算出し、図１４に示す決済案内画面を液晶ディスプレイ２に表示し、この画面中において「電子マネーのカードをセットして下さい」とのメッセージを表示すると共に、「チャージする金額を投入して下さい」とのメッセージを表示する（＃１０７、＃１０８ステップ）。尚、このように電子マネーでの決済と、チャージとを行う際には、決済カードＣｂを前記非接触型リーダ・ライタ１９のアンテナ部１８に載せた状態を維持する必要があるため、前述したメッセージが画面に表示される。
【００５７】
この決済案内画面には、プリント処理代金の金額と、割引額と、電子マネーの残金とが表示されると共に、表示部８０に対して投入された金額が表示される。また、表示部８０に表示される金額は、コインメック１３の硬貨投入孔１１投入された硬貨の金額の積算値や、ビルバリ１５の紙幣挿入孔１４に対して挿入された紙幣の積算値と一致するものであり、この投入の後に、ＯＫボタン５０を操作することにより、投入した金額が決定し、このように投入された金額に割引額を加算した金額がチャージされ、このチャージの後に、プリント処理の代金が電子マネーから取得する処理が行われる（＃１０９〜＃１１０ステップ）。このようにプリント処理の代金を電子マネーから取得する処理が行われた後には、図１５に示す処理完了画面が表示される。
【００５８】
この決済処理（＃１００ステップ）が終了した後には、レシートプリンタ５でレシートＲをプリントして排出し、プリンタユニット４０でのプリント処理を実行し、プリント処理によってプリントされたペーパーＱが写真プリント取出口４１に送り出されることになる（＃１０〜＃１２ステップ）。
【００５９】
このように本発明では、プリントキオスク端末機においてプリント処理ばかりでなく、電子マネーのチャージを行えるように構成したことにより、集客力を高めることが可能となり、しかも、顧客がプリント処理を行う際に、プリント処理の対価の支払いを電子マネーで行い、この支払いに併せて電子マネーにチャージを行う場合には、プリント処理の対価に基づいて割引額を算出し、貨幣の投入があった場合には、この投入額に割引額を加算した金額のチャージを行った後に、電子マネーからプリント処理代金の決済（取得）を行うので、結果として、プリント処理の代金より少ない金額を電子マネーで決済する形態での割引を実現するものとなり、この割引によって顧客を一層増大させることになる。
【００６０】
〔別実施形態〕
本発明は、上記した実施形態以外に以下のように構成しても良い。
【００６１】
（ａ）このプリントキオスク端末機において電子マネーのチャージだけを行う際にも、チャージのために投入された金額より多い金額（例えば、１％程度の金額や、設定額以上のチャージを行う場合において決まった金額）だけ増額した金額のチャージを行うように処理形態を設定する。このように増額した金額のチャージを行うように処理形態を設定することで集客力を高めるものとなる。また、この増額のパーセンテージを前述したようにプリント処理に併せてチャージを行った際の割引としてのパーセンテージより少なく設定することが合理的である。
【００６２】
（ｂ）電子マネーに対するチャージをプリントキオスク端末で行う処理形態に代えて、チャージを行う際にだけ、このプリントキオスク端末機が設置された店舗の店員が、カウンターやレジにおいてチャージ代金を受け取り、このプリントキオスク端末機に接続する専用の端末を介してチャージを行うように処理形態を設定しても良い。このように処理形態を設定することにより、チャージを行う際の顧客の誤操作を排除できる。
【００６３】
（ｃ）割引処理手段２４の処理として、プリント処理の対価に基づいて割引額を算出していたが、例えば、プリント処理の対価が予め設定された金額を超えた場合には、決まった金額を割引額に設定するように処理形態を設定しても良い。
【００６４】
（ｄ）上述した実施形態の説明では、セルフ写真プリント装置としてプリントキオスク端末機の形態で説明したが、本発明はこの形態に限定されるわけではなく、サービス種の選択や処理対象となる撮影コマ画像の選択を行い、その料金を決済するまでのプロセスを行う場所と異なる場所で実際の写真プリントの出力プロセスを行い、出力された写真プリントを配送するような形態、つまり、プリント処理部Ｃが写真処理サービス受付部Ａや課金決済部Ｂとは独立した装置として構成される形態であっても良い。
【図面の簡単な説明】
【００６５】
【図１】プリントキオスク端末機を示す斜視図
【図２】プリントキオスク端末機の制御系を示すブロック図
【図３】プリントキオスク端末機の処理を示すフローチャート
【図４】決済処理ルーチンのフローチャート
【図５】初期画面を示す図
【図６】プリントサイズ選択画面を示す図
【図７】プリント枚数設定画面を示す図
【図８】プリント枚数設定画面を示す図
【図９】名前入力画面を示す図
【図１０】電話番号入力画面を示す図
【図１１】注文内容確認画面を示す図
【図１２】決済方法リスト画面を示す図
【図１３】処理完了画面を示す図
【図１４】決済案内画面を示す図
【図１５】処理完了画面を示す図
【符号の説明】
【００６６】
２            ディスプレイ（液晶ディスプレイ）
３、４        画像データ取得部
１３、１５    貨幣取得部
１７、１９    電子端末（接触型リーダ・ライタ、非接触型リーダ・ライタ）
２０          課金管理部（課金決済ユニット）
２４          割引処理手段
２５          報知処理手段
Ｃａ、Ｃｂ    電子決済手段（決済カード）
Ｍａ          メディア（メモリカード）
Ｐ            プリント処理部
Ｑ            プリント媒体（ペーパー）
【図１】
2008040746.tif 000003
【図２】
2008040746.tif 000004
【図３】
2008040746.tif 000005
【図４】
2008040746.tif 000006
【図５】
2008040746.tif 000007
【図６】
2008040746.tif 000008
【図７】
2008040746.tif 000009
【図８】
2008040746.tif 000010
【図９】
2008040746.tif 000011
【図１０】
2008040746.tif 000012
【図１１】
2008040746.tif 000013
【図１２】
2008040746.tif 000014
【図１３】
2008040746.tif 000015
【図１４】
2008040746.tif 000016
【図１５】
2008040746.tif 000017